(57)【要約】【課題】各画素の発光輝度を光センサで測定して各画素が所要の輝度で発光するように各画素に与える表示データ信号を補正する。この場合に、各光センサの検出ばらつきの影響を受けないで補正値を得ることができるようにする。【解決手段】少なくとも２以上の画素に対して、各画素から等距離の位置に光センサを設ける。そして一方の画素の発光輝度と他方の画素の発光輝度を、等距離に配置された１つの光センサで検出することで、光センサの検出ばらつきの影響の無い補正値を算出する。さらに他の画素に対しても、既に補正値を更新した画素を一部に用いながら順次連鎖的に補正値を求めていくことで、表示画面を構成する全画素について、光センサの検出ばらつきの影響を排除した補正値を得る。【選択図】図６
2010139945.tif 000002
【特許請求の範囲】
【請求項１】
複数の発光画素がマトリクス状に配置されるとともに、それぞれが少なくとも２以上の発光画素から等距離の位置となるように配置された複数の光センサを有する表示パネル部と、
上記表示パネル部の各画素を、入力された表示データ信号に基づいて発光駆動する表示駆動部と、
上記各発光画素のそれぞれについての補正値を記憶する補正値格納部と、
通常表示動作時には、上記補正値格納部に格納された補正値を用いて各画素の発光輝度補正が行われるようにするとともに、通常表示動作を行わない際に、２以上の発光画素についての基準表示データ信号値でのそれぞれの発光輝度を、当該２以上の発光画素から等距離に配置された光センサの検出値として取り込み、取り込んだ各検出値に基づいて、当該２以上の発光画素のうちの一の発光画素に対する他の発光画素の補正値を算出して当該他の発光画素についての補正値として上記補正値格納部に格納させる補正値設定処理を行う信号処理部と、
を備えた表示装置。
【請求項２】
上記信号処理部は、上記補正値設定処理を、各光センサに対応する２以上の発光画素について行うことで、補正値設定対象とした全発光画素の補正値を設定する請求項１に記載の表示装置。
【請求項３】
上記信号処理部は、上記補正値設定処理として、
２以上の発光画素のうちの一の発光画素を、上記補正値格納部に格納されている補正値を反映させた基準表示データ信号値で発光させて、その発光輝度を、当該２以上の発光画素に対して等距離に配置された光センサの検出値として取り込み、
上記２以上の発光画素のうちの他の発光画素を、無補正の上記基準表示データ信号値で発光させて、その発光輝度を、当該２以上の発光画素に対して等距離に配置された光センサの検出値として取り込み、
取り込んだ上記一の発光画素の発光輝度の検出値と、上記他の発光画素の発光輝度の検出値から、上記一の発光画素を基準とした上記他の発光画素の補正値を求め、
求められた補正値を、当該他の発光画素についての更新補正値として上記補正値格納部に格納させる処理を、
一つの光センサを用いた一連の処理として行い、
さらに、更新補正値が得られた発光画素と、補正値の更新前の発光画素を含む２以上の発光画素について、その２以上の発光画素に対して等距離に配置された光センサの検出値を用いて、上記一連の処理を行うことを繰り返すことで、
補正値設定処理の対象とする全発光画素について上記補正値格納部に格納される補正値の設定を行う請求項２に記載の表示装置。
【請求項４】
上記信号処理部は、表示装置のパワーオン時の処理として、又はパワーオフ時の処理として、上記補正値設定処理を行う請求項３に記載の表示装置。
【請求項５】
上記発光画素は、有機エレクトロルミネッセンス発光素子を用いた画素である請求項１に記載の表示装置。
【請求項６】
上記各光センサの全部又は一部は、２つの同色発光画素に対して等距離の位置に配置されている請求項１に記載の表示装置。
【請求項７】
上記各光センサの全部又は一部は、４つの同色発光画素に対して等距離の位置に配置されている請求項１に記載の表示装置。
【請求項８】
上記各光センサの全部又は一部は、或る色の２つの同色発光画素に対して等距離であり、かつ、他の色の２つの同色発光画素に対しても等距離である位置に配置されている請求項１に記載の表示装置。
【請求項９】
複数の発光画素がマトリクス状に配置されるとともに、それぞれが少なくとも２以上の発光画素から等距離の位置となるように配置された複数の光センサを有する有機エレクトロルミネッセンス表示パネル。
【請求項１０】
複数の発光画素がマトリクス状に配置されるとともに、それぞれが少なくとも２以上の発光画素から等距離の位置となるように配置された複数の光センサを有する表示パネル部と、
上記表示パネル部の各画素を、入力された表示データ信号に基づいて発光駆動する表示駆動部と、
上記各発光画素のそれぞれについての補正値を記憶する補正値格納部と、
通常表示動作時には、上記補正値格納部に格納された補正値を用いて各画素の発光輝度補正が行われるようにする信号処理部と、
を備えた表示装置の、上記補正値格納部に記憶する補正値を設定する補正値設定方法として、
２以上の発光画素についての基準表示データ信号値でのそれぞれの発光輝度を、当該２以上の発光画素から等距離に配置された光センサにより検出し、
当該２以上の発光画素についての各検出値に基づいて、当該２以上の発光画素のうちの一の発光画素に対する他の発光画素の補正値を算出し、
算出された補正値を、当該他の発光画素についての補正値として上記補正値格納部に格納する補正値設定方法。
【発明の詳細な説明】
【技術分野】
【０００１】
本発明は表示装置と、表示装置における補正値設定方法に関する。また有機エレクトロルミネッセンス表示パネルに関する。
【背景技術】
【０００２】
【特許文献１】特表２００７−５０１９５３号公報
【特許文献２】特表２００８−５１８２６３号公報
【０００３】
例えば有機エレクトロルミネッセンス（ＥＬ：Electroluminescence）発光素子を用いた表示装置など、自発光素子を用いた表示装置では、画素間の発光輝度のばらつきを無くして画面上に生じるムラを無くすことが重要である。
画素の発光輝度のばらつきは、パネル製造時の初期状態でも生じるが、経時変化によっても生じる。
【０００４】
上記特許文献１，２では、各画素回路内に光センサを配置して、光センサの検出値をパネル内でフィードバックして発光輝度を補正する方式や、光センサからシステムにフィードバックして補正する方式が開示されている。
【発明の開示】
【発明が解決しようとする課題】
【０００５】
各画素の発光輝度を光センサで測定して、発光輝度が所要の輝度となるように画素に与える信号値を補正することで、画素間の輝度ばらつきを解消できる。
しかしながら、上記特許文献１，２のように、１つの画素について、その画素回路内に１つのセンサを設けて輝度検出を行う方式の場合、光センサ同士の検出ばらつきが生じてしまう。光センサ自体も初期状態或いは経時劣化により検出特性の変動があるため、各光センサ同士での検出ばらつきは排除できない。
すると光センサ同士のばらつきの影響が補正に表れ、適切に画素の発光輝度のばらつきを解消することができないこととなる。
【０００６】
また、光センサを用いずに、画素の輝度劣化を予測して補正する方式も考えられるが、あくまで予測によるものの場合、実際の発光輝度の劣化に即した補正は実行できない。
【０００７】
本発明では、各画素の発光輝度を光センサで測定して、各画素が所要の輝度で発光するように各画素に与える表示データ信号を補正する方式を採る。この場合に、各光センサの検出ばらつきの影響を受けないようにし、画面上のむらが適切に解消されるような精度の高い補正が実行できるようにすることを目的とする。
【課題を解決するための手段】
【０００８】
本発明の表示装置は、複数の発光画素がマトリクス状に配置されるとともに、それぞれが少なくとも２以上の発光画素から等距離の位置となるように配置された複数の光センサを有する表示パネル部と、上記表示パネル部の各画素を入力された表示データ信号に基づいて発光駆動する表示駆動部と、上記各発光画素のそれぞれについての補正値を記憶する補正値格納部と、通常表示動作時には、上記補正値格納部に格納された補正値を用いて各画素の発光輝度補正が行われるようにするとともに、通常表示動作を行わない際に、２以上の発光画素についての基準表示データ信号値でのそれぞれの発光輝度を、当該２以上の発光画素から等距離に配置された光センサの検出値として取り込み、取り込んだ各検出値に基づいて、当該２以上の発光画素のうちの一の発光画素に対する他の発光画素の補正値を算出して当該他の発光画素についての補正値として上記補正値格納部に格納させる補正値設定処理を行う信号処理部とを備える。
【０００９】
また上記信号処理部は、上記補正値設定処理を、各光センサに対応する２以上の発光画素について行うことで、補正値設定対象とした全発光画素の補正値を設定する。
また上記信号処理部は、上記補正値設定処理として、２以上の発光画素のうちの一の発光画素を、上記補正値格納部に格納されている補正値を反映させた基準表示データ信号値で発光させて、その発光輝度を、当該２以上の発光画素に対して等距離に配置された光センサの検出値として取り込み、また、上記２以上の発光画素のうちの他の発光画素を、無補正の上記基準表示データ信号値で発光させて、その発光輝度を、当該２以上の発光画素に対して等距離に配置された光センサの検出値として取り込む。そして取り込んだ上記一の発光画素の発光輝度の検出値と、上記他の発光画素の発光輝度の検出値から、上記一の発光画素を基準とした上記他の発光画素の補正値を求め、求められた補正値を、当該他の発光画素についての更新補正値として上記補正値格納部に格納させる処理を、一つの光センサを用いた一連の処理として行う。さらに、更新補正値が得られた発光画素と、補正値の更新前の発光画素を含む２以上の発光画素について、その２以上の発光画素に対して等距離に配置された光センサの検出値を用いて、上記一連の処理を行うことを繰り返すことで、補正値設定処理の対象とする全発光画素について上記補正値格納部に格納される補正値の更新を行う。
また上記信号処理部は、表示装置のパワーオン時の処理として、又はパワーオフ時の処理として、上記補正値設定処理を行う。
【００１０】
また、上記発光画素は、有機エレクトロルミネッセンス発光素子を用いた画素である。
また、上記各光センサの全部又は一部は、２つの同色発光画素に対して等距離の位置に配置されているものとする。
また、上記各光センサの全部又は一部は、４つの同色発光画素に対して等距離の位置に配置されているものとする。
また、上記各光センサの全部又は一部は、或る色の２つの同色発光画素に対して等距離であり、かつ、他の色の２つの同色発光画素に対しても等距離である位置に配置されているものとする。
【００１１】
本発明の有機エレクトロルミネッセンス表示パネルは、複数の発光画素がマトリクス状に配置されるとともに、それぞれが少なくとも２以上の発光画素から等距離の位置となるように配置された複数の光センサを有するものである。
【００１２】
本発明の補正値設定方法は、複数の発光画素がマトリクス状に配置されるとともに、それぞれが少なくとも２以上の発光画素から等距離の位置となるように配置された複数の光センサを有する表示パネル部と、上記表示パネル部の各画素を入力された表示データ信号に基づいて発光駆動する表示駆動部と、上記各発光画素のそれぞれについての補正値を記憶する補正値格納部と、通常表示動作時には、上記補正値格納部に格納された補正値を用いて各画素の発光輝度補正が行われるようにする信号処理部と、を備えた表示装置の、上記補正値格納部に記憶する補正値を設定する補正値設定方法である。そして、２以上の発光画素についての基準表示データ信号値でのそれぞれの発光輝度を、当該２以上の発光画素から等距離に配置された光センサにより検出し、当該２以上の発光画素についての各検出値に基づいて、当該２以上の発光画素のうちの一の発光画素に対する他の発光画素の補正値を算出し、算出された補正値を、当該他の発光画素についての補正値として上記補正値格納部に格納する。
【００１３】
これらの本発明では、少なくとも２以上の画素に対して、各画素から等距離の位置に光センサを設ける。そして、一方の画素の発光輝度と、他方の画素の発光輝度を、当該等距離に配置された１つの光センサで検出する。すると、共通の光センサで各画素の輝度検出値が得られるため、光センサの検出ばらつきの影響の無い補正値を算出できる。つまり１つの光センサから等距離の２以上の画素において、それらが基準表示データ信号値に対して同輝度の発光が行われるように補正値を得ることができる。
これを、さらに他の画素に対しても、既に補正値を更新した画素を一部に用いながら順次連鎖的に実行していけば、補正対象とする全画素について、光センサの検出ばらつきの影響を排除した補正値を得ることができる。
【発明の効果】
【００１４】
本発明によれば、画面を構成する各発光画素について、光センサの経時劣化等による検出ばらつきの影響を排除した補正値を求めることができ、各画素の発光ばらつきを補正できる。従って、表示画面上に表れる輝度ムラを適切に解消できる。
例えば初期状態での輝度ムラを解消できるとともに、随時補正値の更新処理を行うことで経時劣化による輝度ムラも解消でき、高品質な表示画像を得ることができる。
【発明を実施するための最良の形態】
【００１５】
以下、本発明の実施の形態としての有機ＥＬ表示装置を説明していく。説明は次の順序で行う。
［１．有機ＥＬ表示装置の構成］
［２．パワーオン／オフ時の補正係数設定処理］  
［３．第１の補正係数設定処理例］
［４．第２の補正係数設定処理例］
［５．第３の補正係数設定処理例］
［６．変形例］
【００１６】
［１．有機ＥＬ表示装置の構成］
図１に実施の形態の表示装置１の要部の構成を示す。
本例の表示装置１は、有機ＥＬ素子を発光素子として用いるディスプレイパネルとして有機ＥＬパネル５を有する。有機ＥＬパネル５は、ゲートドライバ３及びデータドライバ４によって表示駆動される。
【００１７】
そして有機ＥＬパネル５に対して供給する表示データ信号について処理を行う部位として、信号処理部２が設けられる。信号処理部２は、入力信号として表示データ信号が入力されると、その入力信号に対して例えば信号値補正などの所要の処理を行い、処理後の表示データ信号をデータドライバ４に出力する。また垂直同期信号、水平同期信号をゲートドライバ３及びデータドライバ４に供給する。
補正係数格納部６は、有機ＥＬパネル５における各画素に対応した補正値として補正係数を格納するメモリである。例えば不揮発性メモリ等で構成される。この補正係数は、画素間の輝度ばらつきを解消するために設定された補正係数である。
【００１８】
通常の表示動作時には、信号処理部２は、補正係数格納部６に格納された補正係数を用いて各画素の発光輝度補正が行われるようにする。例えば信号処理部２は、各画素に与える表示データ信号の信号値を、補正係数格納部６に記憶された補正係数によって補正した上で、データドライバ４に出力する。表示データ信号値の補正処理としては、例えば、或る画素に対する表示データ信号値（発光輝度としての階調値）について、その画素に対して設定されている補正係数を乗算する処理などを行う。
なお、補正係数格納部６に格納する補正値は乗算係数に限られず、例えば表示データ信号値に対して加減算を行う補正値などでもよい。
或いは補正係数格納部６に格納する補正値は、表示データ信号の階調値自体を補正するものではなく、例えばデータドライバ４、ゲートドライバ３によって制御される画素回路の発光時間の制御値などであってもよい。その場合、信号処理部２は、補正値に基づいた発光期間制御信号をゲートドライバ３、データドライバ４に与えればよい。
いずれにしても補正係数格納部６に格納する補正値は、各画素毎に発光輝度を調整するための値であればよい。
【００１９】
信号処理部２が例えば表示データ信号に補正係数を乗算して補正を行ってデータドライバ４に出力することで、画素間の発光輝度ばらつきが解消され、表示画面上で輝度ムラが生じないようにされる。
仮に全画素を同一の表示データ信号値（階調値）で発光させると、本来は画面上では輝度ムラは生じないはずであるが、実際には各画素の経時劣化の進行具合等により、各画素には発光輝度ムラが生じる。
そのような各画素間の輝度ばらつきを解消する補正係数が設定され、補正係数格納部６に記憶されていれば、信号処理部２がその補正係数を用いて表示データ信号値の補正を行うことで、画面上の輝度ムラが解消されることになる。
【００２０】
検出信号生成部７は、後述するように有機ＥＬパネル５に多数配置されている光センサで得られる検出値を信号処理部２に供給する。例えば各光センサの検出値をデジタルデータとして信号処理部２に供給する。
信号処理部２は、後述するように、有機ＥＬパネル５内に多数配置されている光センサの検出値を用いて補正係数格納部６に記憶されている補正係数の設定（更新）を行う。その際、信号処理部２は検出信号生成部７から、所定の光センサの検出値を取り込むことになる。
【００２１】
図２、図３を参照して有機ＥＬパネル５、及び有機ＥＬパネル５の駆動を行うゲートドライバ３、データドライバ４について述べる。
図２に有機ＥＬパネル５、ゲートドライバ３、データドライバ４の構成の一例を示す。有機ＥＬパネル５は、有機ＥＬ素子を発光素子とし、アクティブマトリクス方式で発光駆動を行う画素回路１０を含むものである。
【００２２】
図２に示すように、有機ＥＬディスプレイパネルモジュール３は、画素回路１０が列方向と行方向にマトリクス状に配列された画素アレイとして構成される。なお、画素回路１０には「Ｒ」「Ｇ」「Ｂ」を付しているが、これはＲ（赤）、Ｇ（緑）、Ｂ（青）の各色の発光画素であることを示している。
【００２３】
そして各画素回路１０を駆動するため、データドライバ４と、ゲートドライバ３が設けられる。ゲートドライバ３はドライブスキャナ１１とライトスキャナ１２を備える。
またデータドライバ４により選択され、表示データ信号の信号値（階調値）に応じた電圧を画素回路１０に供給する信号線ＤＴＬ１、ＤＴＬ２・・・が、画素アレイ上で列方向に配されている。信号線ＤＴＬ１、ＤＴＬ２・・・は、画素アレイにおいてマトリクス配置された画素回路１０の列数分だけ配される。
【００２４】
また画素アレイ上に、行方向に書込制御線ＷＳＬ１，ＷＳＬ２・・・、電源制御線ＤＳＬ１，ＤＳＬ２・・・が配されている。これらの書込制御線ＷＳＬ及び電源制御線ＤＳＬは、それぞれ、画素アレイにおいてマトリクス配置された画素回路１０の行数分だけ配される。
書込制御線ＷＳＬ（ＷＳＬ１，ＷＳＬ２・・・）はライトスキャナ１２により駆動される。ライトスキャナ１２は、設定された所定のタイミングで、行状に配設された各書込制御線ＷＳＬ１，ＷＳＬ２・・・に順次、走査パルスＷＳ（ＷＳ１，ＷＳ２・・・）を供給して、画素回路１０を行単位で線順次走査する。
電源制御線ＤＳＬ（ＤＳＬ１，ＤＳＬ２・・・）はドライブスキャナ１１により駆動される。ドライブスキャナ１１は、ライトスキャナ１２による線順次走査に合わせて、行状に配設された各電源制御線ＤＳＬ１，ＤＳＬ２・・・に駆動電位（Ｖｃｃ）、初期電位（Ｖｉｎｉ）の２値に切り替わる電源電圧としての電源パルスＤＳ（ＤＳ１，ＤＳ２・・・）を供給する。
データドライバ４は、ライトスキャナ１２による線順次走査に合わせて、列方向に配された信号線ＤＴＬ１、ＤＴＬ２・・・に対して、画素回路１０に対する入力信号としての信号電位（Ｖｓｉｇ）と基準電位（Ｖｏｆｓ）を供給する。
【００２５】
図３に画素回路１０の構成例を示している。この画素回路１０が、図２の構成における画素回路１０のようにマトリクス配置される。なお、図３では簡略化のため、信号線ＤＴＬと書込制御線ＷＳＬ及び電源制御線ＤＳＬが交差する部分に配される１つの画素回路１０のみを示している。
【００２６】
この画素回路１０は、発光素子である有機ＥＬ素子１５と、１個の保持容量Ｃｓと、サンプリングトランジスタＴｒＳ、駆動トランジスタＴｒＤとしての２個の薄膜トランジスタ（ＴＦＴ）とで構成されている。サンプリングトランジスタＴｒＳ、駆動トランジスタＴｒＤはｎチャネルＴＦＴとされている。
【００２７】
保持容量Ｃｓは、一方の端子が駆動トランジスタＴｒＤのソースに接続され、他方の端子が同じく駆動トランジスタＴｒＤのゲートに接続されている。
画素回路１０の発光素子は例えばダイオード構造の有機ＥＬ素子１５とされ、アノードとカソードを備えている。有機ＥＬ素子１５のアノードは駆動トランジスタＴｒＤのソースｓに接続され、カソードは所定の接地配線（カソード電位Ｖｃａｔｈ）に接続されている。
サンプリングトランジスタＴｒＳは、そのドレインとソースの一端が信号線ＤＴＬに接続され、他端が駆動トランジスタＴｒＤのゲートに接続される。またサンプリングトランジスタＴｒＳのゲートは書込制御線ＷＳＬに接続されている。
駆動トランジスタＴｒＤのドレインは電源制御線ＤＳＬに接続されている。
【００２８】
有機ＥＬ素子１５の発光駆動は、基本的には次のようになる。
信号線ＤＴＬに信号電位Ｖｓｉｇが印加されたタイミングで、サンプリングトランジスタＴｒＳが書込制御線ＷＳＬによってライトスキャナ１２から与えられる走査パルスＷＳによって導通される。これにより信号線ＤＴＬからの入力信号Ｖｓｉｇが保持容量Ｃｓに書き込まれる。駆動トランジスタＴｒＤは、ドライブスキャナ１１によって駆動電位Ｖｃｃが与えられている電源制御線ＤＳＬからの電流供給により、保持容量Ｃｓに保持された信号電位に応じた電流ＩELを有機ＥＬ素子１５に流し、有機ＥＬ素子１５を発光させる。
【００２９】
つまり、各フレーム期間において、画素信号値（階調値）が保持容量Ｃｓに書き込まれる動作が行われるが、これにより、階調値によって駆動トランジスタＴｒＤのゲート−ソース間電圧Ｖｇｓが決まる。駆動トランジスタＴｒＤは飽和領域で動作することで有機ＥＬ素子１５に対して定電流源として機能し、ゲート−ソース間電圧Ｖｇｓに応じた電流ＩELを有機ＥＬ素子１５に流す。これによって有機ＥＬ素子１５では、階調値に応じた輝度の発光が行われる。
【００３０】
各画素回路１０に与えられる信号電位Ｖｓｉｇは、その画素に対する表示データ信号値に応じた電圧である。上述のように信号処理部２は、補正係数格納部６に記憶された各画素回路１０についての補正係数を用いて、各画素に対する表示データ信号値を補正してデータドライバ４に供給する。
このため、各画素回路１０毎に、入力信号電位Ｖｓｉｇに対する発光輝度のばらつきがあったとしても、入力信号電位Ｖｓｉｇ自体が補正されていることにより、各画素回路１０においては、それぞれ求められる本来の輝度の発光が行われる。これによって画面表示上での輝度ムラが解消されることになる。
【００３１】
［２．パワーオン／オフ時の補正係数設定処理］  
ところで、そのように表示データ信号の信号値補正によって画面上での輝度ムラを解消させるためには、補正係数が適切に設定されていることが前提となる。
特に各画素回路１０毎の発光輝度のばらつき具合は、経時劣化によっても変化するため、補正係数格納部６に記憶された補正係数も、適宜更新されていかなければ、常に輝度ムラのない高品質な画面表示を行うことができない。
【００３２】
本実施の形態の表示装置１では、例えばパワーオンにより起動される際、又はパワーオフで終了処理を行う際の一方又は両方で、補正係数の設定処理を行い、補正係数格納部６に記憶されている補正係数を更新する。
【００３３】
図４（ａ）（ｂ）にパワーオン時の処理及びパワーオフ時の処理を示している。
ユーザの操作、もしくはシステム接続された機器からの指令、或いは表示装置１内部のタイマー機能などにより、図１には示していない表示装置１の制御部が、パワーオン要求の発生を認識すると、図４（ａ）の処理が行われる。
即ち図示しない制御部は、ステップＦ１０１として、電源回路から各部への電源供給を開始させると共に、所要の起動処理を行う。また制御部は、信号処理部２に補正係数設定処理を指示する。
【００３４】
信号処理部２はステップＦ１０２として、有機ＥＬパネル５におけるＲ画素についての補正係数設定処理を行う。
この補正係数設定処理は、例えば少なくとも有効画像領域における全Ｒ画素を補正値設定処理の対象として行い、当該全Ｒ画素についての補正係数格納部６に格納される補正係数の設定を行う処理である。
またステップＦ１０３でＧ画素についての補正係数設定処理を行う。
この補正係数設定処理は、例えば少なくとも有効画像領域における全Ｇ画素を補正値設定処理の対象として行い、当該全Ｇ画素についての補正係数格納部６に格納される補正係数の設定を行う処理である。
さらにステップＦ１０４としてＢ画素についての補正係数設定処理を行う。
この補正係数設定処理は、例えば少なくとも有効画像領域における全Ｂ画素を補正値設定処理の対象として行い、当該全Ｂ画素についての補正係数格納部６に格納される補正係数の設定を行う処理である。
これらの補正係数設定処理により、補正係数格納部６に格納されている、各画素回路１０毎の補正係数が更新されたことになる。具体的な補正係数設定処理例については後述する。
【００３５】
これらの補正係数設定処理が終了したら、ステップＦ１０５で通常表示を開始する。即ち信号処理部２は、入力される表示データ信号の信号値について、それぞれ画素単位で補正係数を補正係数格納部６から読み出し、信号値を補正してデータドライバ４に供給する動作を開始する。
これによって通常の表示状態においては、最新の補正係数によって補正された表示データ信号に基づき、輝度ムラのない表示動作が行われる。
【００３６】
このようなパワーオン時（起動時）ではなく、或いはパワーオン時に加えて、パワーオフ時に補正係数の設定処理を行っても良い。
例えば制御部は、ユーザ操作、タイマー機能、システム接続機器からの指示等として、表示装置１の電源オフの要求が発生した場合に、図４（ｂ）の処理を行う。
まずステップＦ２０１で、信号処理部２に対して通常の表示動作を終了させる指示を行う。また制御部は、信号処理部２に補正係数設定処理を指示する。
信号処理部２はステップＦ２０２として、有機ＥＬパネル５におけるＲ画素についての補正係数設定処理を行う。またステップＦ２０３でＧ画素についての補正係数設定処理を行い、さらにステップＦ２０４としてＢ画素についての補正係数設定処理を行う。
これらの補正係数設定処理により、補正係数格納部６に格納されている各画素回路１０毎の補正係数が更新される。
その後制御部はステップＦ２０５で、所要の終了処理を行い、また電源回路に各部への電源供給を停止させる指示を行って電源オフ状態とする。
【００３７】
以上の図４（ａ）又は図４（ｂ）のいずれかの処理が少なくとも行われることで、補正係数格納部６に記憶された補正係数は、適宜更新されることになり、通常表示動作時には各画素の経時劣化にも対応した発光輝度補正が実現される。
【００３８】
［３．第１の補正係数設定処理例］
以下、具体的な補正係数設定処理として第１〜第３の補正係数設定処理について説明していく。なお、図４（ａ）（ｂ）は、Ｒ、Ｇ、Ｂの各画素群について順次補正係数設定処理を行うとしたが、補正係数設定処理自体は同様であるため、以下ではＲ画素群に対する補正係数設定処理についてのみ述べる。即ち図４（ａ）のステップＦ１０２又は図４（ｂ）のステップＦ２０２の処理である。ステップＦ１０３，Ｆ１０４、又はステップＦ２０３，Ｆ２０４の処理は、対象とする画素群及び使用する光センサが異なるのみで、以下説明する補正係数設定処理が同様に行われると理解すればよい。
【００３９】
第１の補正係数設定処理を図５〜図７により説明する。
まず図５、図６で画素及び光センサの配置を説明する。
図５は有機ＥＬパネル５の画素アレイでの画素及び光センサの配置を模式的に示している。方形で示すＲ画素、Ｇ画素、Ｂ画素は、それぞれ図２，図３で説明した画素回路１０に相当する。
当該画素アレイでは、Ｒ画素、Ｇ画素、Ｂ画素の３つの画素によるユニットが、垂直方向にＭ個、水平方向にＮ個配設されているとする。
第１行目で第１列（ユニット単位の先頭列）のＲ画素、Ｇ画素、Ｂ画素を、画素Ｒ１１，Ｇ１１，Ｂ１１とする。
第１行目で第Ｎ列（ユニット単位の最終列）のＲ画素、Ｇ画素、Ｂ画素を、画素Ｒ１N，Ｇ１N，Ｂ１Nとする。
第Ｍ行目（最終行）で第１列のＲ画素、Ｇ画素、Ｂ画素を、画素ＲM１，ＧM１，ＢM１とする。
第Ｍ行目で第Ｎ列のＲ画素、Ｇ画素、Ｂ画素を、画素ＲMN，ＧMN，ＢMNとする。
【００４０】
このような画素アレイにおいて、○で示す画素補正センサが、上下の同色画素から等距離の位置に配置され、また、●で示す列補正センサが、第１行目の上側において、異なる列の同色画素から等距離の位置に配置されている。
なお、○で示す「画素補正センサ」と●で示す「列補正センサ」とは、説明の便宜上、区別しているにすぎず、同一の構造の光センサでよい。もちろん異なる構造であってもよい。
【００４１】
図６は、図５の一部として画素Ｒ１１〜Ｂ４３の範囲を拡大して示している。
列補正センサＳ０１、Ｓ０２、Ｓ０３・・・、及び画素補正センサＳ１１、Ｓ１２、Ｓ１３・・・が、図のように配設されている。
この例では、１つの画素補正センサは、２つの画素から等距離の位置に配置される。例えば画素補正センサＳ１１は、画素Ｒ１１，Ｒ２１の中間位置とされる。また画素補正センサＳ２１は、画素Ｒ２１とＲ３１の中間位置とされる。
即ち列方向に隣接する２つのＲ画素から等距離の位置に、それぞれ画素補正センサが配置されている。Ｇ画素の列、Ｂ画素の列についても同様である。
この画素補正センサは、上下に隣接する画素同士の間で相対的な発光輝度の差分を検出するものとされる。
【００４２】
また１つの列補正センサは、異なる列の２つの同色画素から等距離の位置に配置される。例えば列補正センサＳ０１は、画素Ｒ１１，Ｒ１２から等距離の位置とされる。また画素補正センサＳ０４は、画素Ｒ１２とＲ１３から等距離の位置とされる。
またＧ画素の列、Ｂ画素の列についても同様に列補正センサが設けられる。例えば列補正センサＳ０２は、画素Ｇ１１とＧ１２から等距離の位置とされ、列補正センサＳ０３は画素Ｂ１１とＢ１２から等距離の位置とされる。
この列補正センサは、異なる列の同色画素同士の間で相対的な発光輝度の差分を検出するものとされる。
【００４３】
このような配置においては、画素補正センサから見れば、それぞれが２つの画素に対応することになる。例えば画素補正センサＳ１１は、画素Ｒ１１とＲ２１の輝度検出用の光センサとなる。また画素補正センサＳ２１は、画素Ｒ２１とＲ３１の輝度検出用の光センサとなる。
一方、画素側から見れば、第１行及び第Ｍ行以外の画素については、各画素に２つの画素補正センサが対応することになる。例えば画素Ｒ２１から見れば、画素補正センサＳ１１とＳ２１が対応する。
第１行の各画素は、１つの画素補正センサと１つまたは２つの列補正センサが対応する。例えば画素Ｒ１１から見れば、画素補正センサＳ１１と列補正センサＳ０１が対応する。また画素Ｒ１２は、画素補正センサＳ１４と列補正センサＳ０１、Ｓ０４が対応する。
【００４４】
このような対応関係は、特定の一つの基準画素（例えばＲ画素群については画素Ｒ１１とする）を起点として、全ての画素（画素ＲMNまでの全Ｒ画素）が、光センサ（画素補正センサまたは列補正センサ）を介して橋渡しされているような状態を形成する。
Ｇ画素群、Ｂ画素群も同様である。例えばＧ画素群は、基準画素Ｇ１１から、画素ＧMNまでの全Ｇ画素が、光センサで橋渡しされているような状態である。
ここで橋渡しという表現は単なる説明上のイメージである。具体的には、２つの画素が共通の光センサで輝度検出されていくことが、順次各光センサについて繰り返されることで、同色の全画素の、基準画素からみた相対的な発光輝度差分を、各光センサの検出ばらつきを排除して得られる構成であることを示している。
【００４５】
このように画素及び光センサ（画素補正センサと列補正センサ）を配設することで実現できる補正係数設定処理を説明する。
【００４６】
補正係数設定処理の概略は次の（１）〜（６）のとおりである。
（１）基準画素を基準表示データ信号値で点灯させ、その上または下の光センサで測定を行なう。基準画素はパネル内の任意の画素とする。基準表示データ信号値とは、或る特定の階調値である。全画素に基準表示データ信号値を与えて画素毎の発光輝度の差を検出するためである。また基準画素は、本例ではＲ画素群については画素Ｒ１１とする。
例えば最初に、基準画素Ｒ１１としての画素回路１０に、基準表示データ信号値による信号電位Ｖｓｉｇを与えて発光させ、発光輝度を画素補正センサＳ１１で検出する。
【００４７】
（２）当該検出を行った光センサに隣接する反対側の画素を基準表示データ信号で点灯させて測定を行なう。即ち、例えば次に、画素Ｒ２１としての画素回路１０に、基準表示データ信号値による信号電位Ｖｓｉｇを与えて発光させ、発光輝度を同じく画素補正センサＳ１１で検出する。
【００４８】
（３）画素間の輝度差分から補正係数設定を行う。例えば上記（１）（２）により、画素Ｒ１１，Ｒ２１の輝度が、共通の画素補正センサＳ１１で得られたことになる。そこで、その検出値から、基準画素Ｒ１１に対する画素Ｒ２１の検出値の差分（比）から、補正係数が算出できる。即ち、基準画素Ｒ１１と同一の輝度で画素Ｒ２１を発光させるようにするための補正値である。そして算出された補正係数を、画素Ｒ２１についての補正係数として補正係数格納部６に記憶する。
【００４９】
（４）次に、補正係数を更新した画素を基準にして、次の画素の補正係数を設定する。例えば先に補正係数を設定した画素Ｒ２１を基準にして、画素Ｒ３１の補正係数を設定する。このため、画素Ｒ２１とＲ３１の間で、上記（１）（２）（３）の処理を行う。
まず画素Ｒ２１を基準表示データ信号値で発光させ、画素補正センサＳ２１で発光輝度を検出する。但し、この場合は、画素Ｒ２１に対しては、先に設定した補正係数による補正を行った基準表示データ信号値を与えることとなる。
次に、画素Ｒ３１を基準表示データ信号値で発光させ、画素補正センサＳ２１で発光輝度を検出する。
そして画素間の輝度差分から補正係数設定を行う。即ち画素Ｒ２１，Ｒ３１の輝度が、共通の画素補正センサＳ２１で得られたことになるため、画素Ｒ２１に対する画素Ｒ３１の検出値の差分（比）から、補正係数を算出する。即ち、画素Ｒ２１と同一の輝度で画素Ｒ３１を発光させるようにするための補正値である。そして算出された補正係数を、画素Ｒ３１についての補正係数として補正係数格納部６に記憶する。ここで、画素Ｒ２１については、先に設定した補正係数を反映させた基準表示データ信号値で発光させているため、今回求められた画素Ｒ３１の補正係数は、基準画素Ｒ１１と同一の輝度で画素Ｒ３１を発光させるための補正値となる。
【００５０】
（５）以下、列方向に順次同様の処理を行い、列方向の各画素（Ｒ４１〜ＲM１）について、それぞれ補正係数を求め、補正係数格納部６に記憶する。
【００５１】
（６）次に、他の列の画素について補正係数設定を行う。例えば基準画素Ｒ１１と画素Ｒ１２の間で、列補正センサＳ０１を用いて、上記（１）（２）（３）と同様の処理を行う。すると、画素Ｒ１２について、基準画素Ｒ１１と同一の輝度で画素Ｒ１２を発光させるための補正係数を得ることができる。
画素Ｒ１２の補正係数が設定できたら、次に画素Ｒ１２とＲ２２の間で、上記（４）の処理を行う。これにより、画素Ｒ２２についても、基準画素Ｒ１１と同一の輝度で画素Ｒ２２を発光させるための補正係数を得ることができる。
以下、Ｒ３２〜ＲM２についても同様の処理を繰りかえす。
【００５２】
以上のような処理を、画素ＲMNの補正係数設定まで行うことで、全Ｒ画素について、同一の表示データ信号が与えられたときに、基準画素Ｒ１１と同一の輝度で発光させるための補正係数が得られたことになる。
【００５３】
図４（ａ）のステップＦ１０２、または図４（ｂ）のステップＦ２０２として、このようなＲ画素群についての補正係数設定処理を実現する信号処理部２の処理例を図７に示す。
まず信号処理部２は、ステップＦ３００で補正係数格納部６における全Ｒ画素についての補正係数をクリアする。次にステップＦ３０１で、処理対象の画素を指定する変数ｍ，ｎについてｍ＝１、ｎ＝１とする。
【００５４】
ステップＦ３０２では、信号処理部２は、画素Ｒｍｎについて、特定の階調値Ｘに相当する基準表示データ信号（以下「基準信号Ｘ」）を与えて発光させる。なお、このステップＦ３０２では、当該画素Ｒｍｎについて、補正係数格納部６に記憶されている補正係数による補正を与える。但し、最初はｍ＝１、ｎ＝１であり、画素Ｒｍｎ＝基準画素Ｒ１１となり、また補正係数はクリアされている。従って、基準画素Ｒ１１に対して、基準信号Ｘをそのまま与えることになる。具体的には、データドライバ４に基準信号Ｘを供給するとともに、ゲートドライバ３及びデータドライバ４に、画素Ｒ１１の発光を指示する。
【００５５】
ステップＦ３０３では、信号処理部２は、発光させた画素Ｒｍｎの下側の画素補正センサの検出値を、検出信号生成部７から取り込んで信号処理部２の内部で記憶する。この場合、基準画素Ｒ１１の下側の画素補正センサＳ１１の検出値を取り込むことになる。
【００５６】
次に信号処理部２はステップＦ３０４で、変数ｍをインクリメントし、ステップＦ３０５で、画素Ｒｍｎについて、基準信号Ｘを与えて発光させる。なお、このステップＦ３０５は、データドライバ４に供給する基準信号Ｘについて補正は行わない。この場合、ｍ＝２とされているため、画素Ｒ２１を基準信号Ｘで発光させることになる。
ステップＦ３０６では、信号処理部２は、発光させた画素Ｒｍｎの上側の画素補正センサの検出値を、検出信号生成部７から取り込んで信号処理部２の内部で記憶する。この場合、画素Ｒ２１の上側の画素補正センサＳ１１の検出値を取り込むことになる。つまり上記ステップＦ３０３と同一の画素補正センサＳ１１の検出値である。
【００５７】
信号処理部２は、ステップＦ３０７で、上記ステップＦ３０３及びＦ３０６で取り込んだ両検出値を用いて補正係数を算出する。即ちこの場合、両検出値とは、画素Ｒ１１、Ｒ２１について画素補正センサＳ１１で検出した発光輝度の値である。
この両検出値の差分または比から、画素Ｒ２１を、基準画素Ｒ１１と同一の輝度で発光させるための補正係数を得ることができる。
そしてステップＦ３０８では、算出された補正係数を、画素Ｒ２１についての補正係数として補正係数格納部６に記憶する。
ここまでの処理で、基準画素Ｒ１１を基準とした画素Ｒ２１の補正係数が設定できたことになる。
【００５８】
信号処理部２は、ステップＦ３０９で変数ｍ＝Ｍであるか否かを確認する。上述のように「Ｍ」は最終行の値である。つまりステップＦ３０９は、現在の列の最終行の画素まで、補正係数の設定が終えたか否かを確認する処理である。
上記のように画素Ｒ２１の補正係数設定を行った時点では、まだ補正係数未設定の下方の画素が存在するため、ステップＦ３０２に戻る。
【００５９】
この場合、ステップＦ３０２で信号処理部２は、画素Ｒｍｎ（つまり画素Ｒ２１）について、基準信号Ｘを与えて発光させる。このときは、当該画素Ｒｍｎ（＝Ｒ２１）について、先に補正係数格納部６に記憶させた補正係数による補正を与える。従って、この時点で画素Ｒ２１は、基準画素Ｒ１１と同じ発光輝度で発光していることになる。
そしてステップＦ３０３で信号処理部２は、発光させた画素Ｒｍｎ（＝Ｒ２１）の下側の画素補正センサ、つまり今度は画素補正センサＳ２１の検出値を、検出信号生成部７から取り込んで信号処理部２の内部で記憶する。
【００６０】
次に信号処理部２はステップＦ３０４で、変数ｍをインクリメントし、ステップＦ３０５で、画素Ｒｍｎについて、基準信号Ｘ（無補正）を与えて発光させる。この場合、ｍ＝３とされているため、画素Ｒ３１を基準信号Ｘで発光させることになる。
ステップＦ３０６では、信号処理部２は、発光させた画素Ｒｍｎの上側の画素補正センサの検出値を、検出信号生成部７から取り込んで信号処理部２の内部で記憶する。この場合、基準画素Ｒ３１の上側の画素補正センサＳ２１の検出値を取り込むことになる。つまり直前のステップＦ３０３と同一の画素補正センサＳ２１の検出値である。
【００６１】
信号処理部２は、ステップＦ３０７で、上記ステップＦ３０３及びＦ３０６で取り込んだ両検出値を用いて補正係数を算出する。即ちこの場合、両検出値とは、画素Ｒ２１、Ｒ３１について画素補正センサＳ２１で検出した発光輝度の値である。
この両検出値の差分または比から、画素Ｒ３１を、画素Ｒ２１と同一の輝度（つまり基準画素Ｒ１１と同一輝度）で発光させるための補正係数を得ることができる。
そしてステップＦ３０８では、算出された補正係数を、画素Ｒ３１についての補正係数として補正係数格納部６に記憶する。
【００６２】
以上のステップＦ３０２〜Ｆ３０８の処理を、当該列の最終行の画素ＲM１の補正係数が設定されるまで繰り返していく。
そして画素ＲM１の補正係数が設定された直後のステップＦ３０９では、変数ｍ＝Ｍとなり、この場合、ステップＦ３１０に進んで、現在が最終列（第Ｎ列）の処理を終了したのか否かを確認する。即ち変数ｎ＝Ｎであるか否かを確認する。
【００６３】
上記のように第１列のＲ画素（Ｒ１１〜ＲM１）までの補正係数設定を終えた時点では、第２列以降のＲ画素が残っている。この時点で変数ｎ＝１であって、ＮではないためステップＦ３１１に進む。
信号処理部２は、まず変数ｍの値をｍ＝１とする。そしてステップＦ３１２で画素Ｒｍｎ（つまりこの場合、基準画素Ｒ１１）について、基準信号Ｘを与えて発光させる。ステップＦ３１２にでは、先に画素Ｒｍｎについて補正係数格納部６に記憶させた補正係数による補正を与えるが、基準画素Ｒ１１の場合に限っては、実質的に補正はない。例えば補正値を乗算係数とした場合は、基準画素Ｒ１１についての補正係数＝１（加減算値とした場合は補正値＝０）であるためである。
そしてステップＦ３１３で信号処理部２は、発光させた画素Ｒｍｎ（＝基準画素Ｒ１１）に対応する列補正センサ、この場合、列補正センサＳ０１の検出値を、検出信号生成部７から取り込んで信号処理部２の内部で記憶する。
【００６４】
次に信号処理部２はステップＦ３１４で、変数ｎをインクリメントし、ステップＦ３１５で、画素Ｒｍｎ（この場合画素Ｒ１２）について、基準信号Ｘ（無補正）を与えて発光させる。
ステップＦ３１６では信号処理部２は、発光させた画素Ｒｍｎ（＝Ｒ１２）に対応する列補正センサ、この場合、列補正センサＳ０１の検出値を、検出信号生成部７から取り込んで信号処理部２の内部で記憶する。つまり直前のステップＦ３１３と同一の列補正センサの検出値である。
【００６５】
信号処理部２は、ステップＦ３１７で、上記ステップＦ３１３及びＦ３１６で取り込んだ両検出値を用いて補正係数を算出する。即ちこの場合、両検出値とは、基準画素Ｒ１１、Ｒ１２について列補正センサＳ０１で検出した発光輝度の値である。
この両検出値の差分または比から、画素Ｒ１２を、基準画素Ｒ１１と同一の輝度で発光させるための補正係数を得ることができる。
そしてステップＦ３１８では、算出された補正係数を、画素Ｒ１２についての補正係数として補正係数格納部６に記憶する。
【００６６】
そしてステップＦ３０２に進む。Ｒ画素群としての２列目の先頭の画素Ｒ１２について補正係数が設定されたため、以降、ステップＦ３０２〜Ｆ３０８を、当該２列目の各画素について実行することになる。
即ちまず画素Ｒ１２を、補正係数で補正した基準信号Ｘで発光させて画素補正センサＳ１４で輝度検出を行う（Ｆ３０２，Ｆ３０３）。次に画素Ｒ２２を無補正の基準信号Ｘで発光させて画素補正センサＳ１４で輝度検出を行う（Ｆ３０４，Ｆ３０５，Ｆ３０６）。そして、両検出値から、画素Ｒ２２を、画素Ｒ２１と同一の輝度（つまり基準画素Ｒ１１と同一輝度）で発光させるための補正係数を得、算出された補正係数を、画素Ｒ２２についての補正係数として補正係数格納部６に記憶する（Ｆ３０７，Ｆ３０８）。
【００６７】
以降、順次、画素Ｒ２２，Ｒ３２、画素Ｒ３２とＲ３４・・・とステップＦ３０２〜Ｆ３０８の処理を行い、最終行の画素ＲM２まで補正係数を設定する。
すると今度は、画素Ｒ１２とＲ１３の関係で列補正センサＳ０４を用いてステップＦ３１１〜Ｆ３１８の処理を行い、その後、ステップＦ３０２〜Ｆ３０８で、Ｒ画素群としての第３列目の画素（画素Ｒ１３〜ＲＭ３）までの補正係数設定を行う。
このような処理を繰り返し、最終行、最終列の画素ＲMNの設定が終わった時点で、ステップＦ３１０で変数ｎ＝Ｎとなり、Ｒ画素群に対する補正係数設定処理が終了する。
【００６８】
Ｇ画素群については図４のステップＦ１０３またはＦ２０３で、Ｂ画素群については図４のステップＦ１０４またはＦ２０４で、図７と同様の処理が行われる。即ち図７における画素Ｒ１１〜ＲMNを、Ｇ画素群については画素Ｇ１１〜ＧMN、Ｂ画素群については画素Ｂ１１〜ＢMNとして考え、またそれぞれ対応する光センサを用いればよい。
【００６９】
このような処理を行うことにより、補正係数更新対象とする全画素（少なくとも有効表示領域の全画素）について、補正係数が設定されることになる。
特にパワーオン時、またはパワーオフ時に補正係数更新が行われることで、経時劣化にも対応して適切な補正係数が補正係数格納部６に格納されるように適宜更新されることになる。
その上で、本例の場合、各画素の補正係数は基準画素Ｒ１１から順次、共通の光センサでの輝度検出値に基づいて算出される。これは、補正係数算出の際に、各光センサの検出ばらつきの影響を受けないことを意味する。
従って補正係数は、各光センサの検出ばらつきの影響を排除した適切な値となる。
これらによって本例の表示装置１は、常に輝度ムラのない高品質な画面表示を行うことができる。
【００７０】
なお、以上のような第１の補正係数設定処理を実現するための光センサ配置例は、他にも考えられる。
例えば列補正センサは、第１行目の上側ではなく、第ｍ行目の下側において、異なる列の同色画素から等距離の位置に配置されていてもよいし、配置が可能であれば、途中の行の間に配置されていても良い。あくまでも、或る列の１つの画素と、異なる列の１つの同色画素とから等距離の位置に設けられて、異なる列の画素同士で共通に発光輝度を検出できるようにすればよい。
【００７１】
また、図７の処理では列方向の画素について補正係数設定を行った後、列補正センサを介して次の列の補正に進むようにしたが、先に第１行目の全Ｒ画素について補正を行い、その後、各列で、画素補正センサを介して、順次列方向に並ぶＲ画素の補正係数設定を行うようにすることもできる。もちろん他の順序も考えられ、どのような順序で各画素の補正係数設定を行うかは、全く任意である。
【００７２】
［４．第２の補正係数設定処理例］
第２の補正係数設定処理を図８〜図１０により説明する。
まず図８、図９で光センサの配置を説明する。画素の配置は上述した図５，図６と同様である。
図８に示すように、画素アレイ内において、○で示す画素補正センサが配置される。最外周の画素の周囲には、先に述べた列補正センサは無く、この例では、○で示す画素補正センサが列補正センサとしての機能も果たす。
【００７３】
図９に拡大して示すが、各画素補正センサは、４つの同色画素から等距離の位置に配置されている。
例えば画素補正センサＳ１１は、画素Ｒ１１，Ｒ２１，Ｒ１２，Ｒ２２からそれぞれ等距離の位置とされる。また画素補正センサＳ２１は、画素Ｒ２１，Ｒ３１，Ｒ２２，Ｒ３２からそれぞれ等距離の位置とされる。Ｇ画素群、Ｂ画素群についても同様である。
この画素補正センサは、対応する４つの画素同士の間で相対的な発光輝度の差分を検出するものとされる。
【００７４】
このような光センサの配置も、特定の一つの基準画素（例えばＲ画素群については画素Ｒ１１）を起点として、全ての画素（画素ＲMNまでの全Ｒ画素）が、光センサ（画素補正センサ）を介して橋渡しされているような状態を形成する。
【００７５】
このように画素及び光センサを配設することで実現できる補正係数設定処理を図１０で説明する。図１０は、図４（ａ）のステップＦ１０２、または図４（ｂ）のステップＦ２０２として信号処理部２が実行する処理である。
なお、説明の便宜上、１つの画素補正センサに対応する４つの画素を「ブロック」と呼ぶこととする。
【００７６】
まず信号処理部２は、ステップＦ４００で補正係数格納部６における全Ｒ画素についての補正係数をクリアする。次にステップＦ４０１で、処理対象の画素を指定する変数ｍ，ｎについてｍ＝１、ｎ＝１とする。
そしてまず最初に、ステップＦ４０２〜Ｆ４２１の処理で、画素Ｒ１１，Ｒ１２，Ｒ２１，Ｒ２２のブロックについて処理を行う。
【００７７】
ステップＦ４０２では、信号処理部２は、画素Ｒｍｎについて、補正係数を反映させた基準信号Ｘを与えて発光させる。但し、最初はｍ＝１、ｎ＝１であり、画素Ｒｍｎ＝基準画素Ｒ１１であるため、基準画素Ｒ１１に対して、基準信号Ｘをそのまま与えることになる。
ステップＦ４０３では、信号処理部２は、発光させた画素Ｒｍｎの発光輝度として、現ブロックに対応する画素補正センサの検出値を、検出信号生成部７から取り込んで信号処理部２の内部で記憶する。この場合、画素補正センサＳ１１の検出値を基準画素Ｒ１１の発光輝度として取り込むことになる。
【００７８】
次に信号処理部２はステップＦ４０４で、ｍ＞１であるか否かを確認し、変数ｍ＝１の場合（画素Ｒｍｎが先頭行の画素であった場合）に、ステップＦ４０５に進んで変数ｎをインクリメントする。
次にステップＦ４０６では、画素Ｒｍｎについて、基準信号Ｘ（無補正）を与えて発光させる。この場合、ｎ＝２とされているため、画素Ｒ１２を基準信号Ｘで発光させることになる。
ステップＦ４０７では信号処理部２は、発光させた画素Ｒｍｎ（＝Ｒ１２）を含む現ブロックに対応する画素補正センサの検出値を、検出信号生成部７から取り込んで信号処理部２の内部で記憶する。この場合、画素補正センサＳ１１の検出値を取り込むことになる。つまり上記ステップＦ４０３と同一の画素補正センサＳ１１の検出値である。
信号処理部２は、ステップＦ４０８で、上記ステップＦ４０３及びＦ４０７で取り込んだ両検出値を用いて補正係数を算出する。即ちこの場合、両検出値とは、画素Ｒ１１、Ｒ１２について画素補正センサＳ１１で検出した発光輝度の値であり、この両検出値の差分または比から、画素Ｒ１２を、基準画素Ｒ１１と同一の輝度で発光させるための補正係数を得る。そしてステップＦ４０９で、算出された補正係数を、画素Ｒ１２についての補正係数として補正係数格納部６に記憶する。
【００７９】
次に信号処理部２はステップＦ４１０で、変数ｍをインクリメントし、またステップＦ４１１で変数ｎをデクリメントする。そしてステップＦ４１２で、ｎ＞１であるか否かを確認する。この時点で変数ｎ＝１であるためステップＦ４１３〜Ｆ４１７の処理を行う。
即ち信号処理部２はステップＦ４１３で、画素Ｒｍｎ（＝Ｒ２１）について、基準信号Ｘ（無補正）を与えて発光させる。そしてステップＦ４１４で、現ブロック対応の画素補正センサＳ１１の検出値として、画素Ｒ２１の発光輝度を取り込む。
次に信号処理部２は、ステップＦ４１５で、上記ステップＦ４０３及びＦ４１５で取り込んだ両検出値を用いて補正係数を算出する。即ちこの場合、両検出値とは、画素Ｒ１１、Ｒ２１について画素補正センサＳ１１で検出した発光輝度の値であり、この両検出値の差分または比から、画素Ｒ２１を、基準画素Ｒ１１と同一の輝度で発光させるための補正係数を得る。そしてステップＦ４１６で、算出された補正係数を、画素Ｒ２１についての補正係数として補正係数格納部６に記憶する。
そしてステップＦ４１７で変数ｎをインクリメントする。
【００８０】
次に信号処理部２はステップＦ４１８で、画素Ｒｍｎ（＝Ｒ２２）について、基準信号Ｘ（無補正）を与えて発光させる。そしてステップＦ４１９で、現ブロック対応の画素補正センサＳ１１の検出値として、画素Ｒ２２の発光輝度を取り込む。
ステップＦ４２０では、信号処理部２は、上記ステップＦ４０３及びＦ４１９で取り込んだ両検出値を用いて補正係数を算出する。即ちこの場合、画素Ｒ１１、Ｒ２２について画素補正センサＳ１１で検出した発光輝度の値であり、この両検出値の差分または比から、画素Ｒ２２を、基準画素Ｒ１１と同一の輝度で発光させるための補正係数を得る。そしてステップＦ４２１で、算出された補正係数を、画素Ｒ２２についての補正係数として補正係数格納部６に記憶する。
ここまでの処理で、最初のブロックの画素（Ｒ１１，Ｒ１２，Ｒ２１，Ｒ２２）について画素補正センサＳ１１を用いて行った補正係数設定が完了する。
【００８１】
次に、現在の画素Ｒｍｎ（＝Ｒ２２）が最終行でなければ、ｍ＝Ｍではないため、ステップＦ４０２に戻る。
そして画素Ｒｍｎ（＝Ｒ２２）を基準として、次のブロックの画素（Ｒ２１，Ｒ２２，Ｒ３１，Ｒ３２）について、このブロックに対応した画素補正センサＳ２１を用いてステップＦ４０２〜Ｆ４２１の処理を行う。
【００８２】
まずこのブロックで基準とした補正係数設定済の画素Ｒ２２を、補正係数を反映させた基準信号Ｘで発光させ、現ブロックに対応する画素補正センサＳ２１で発光輝度の検出値を得る。
なお、今回のブロックでは、画素Ｒ２１は既に補正係数設定済であるため、処理は不要である。つまり第２行目（ｍ＝２）以降ではブロックの左上の画素の処理は不要である。このためステップＦ４０４でｍ＞１の場合は、ステップＦ４１０に進む。そして変数ｍをインクリメント（Ｆ４１０）、変数ｎをデクリメントし（Ｆ４１１）、ステップＦ４１２で、この時点でｎ＝１であるためステップＦ４１２からＦ４１３に進む。ここでは画素Ｒ３１について、ステップＦ４１３〜Ｆ４１６の処理を行うことになる。
つまり画素Ｒ３１を基準信号Ｘ（無補正）で発光させ（Ｆ４１３）、画素補正センサＳ２１で検出し（Ｆ４１４）、補正係数を算出し（Ｆ４１５）、画素Ｒ３１の補正係数として補正係数格納部６に記憶する（Ｆ４１６）。
【００８３】
さらにステップＦ４１７で変数ｎをインクリメントし、ステップＦ４１８〜Ｆ４２１で、画素Ｒ３２について処理を行う。即ち画素Ｒ３２を基準信号Ｘ（無補正）で発光させ（Ｆ４１８）、画素補正センサＳ２１で検出し（Ｆ４１９）、補正係数を算出し（Ｆ４２０）、画素Ｒ３２の補正係数として補正係数格納部６に記憶する（Ｆ４２１）。
ここまでの処理で、２番目のブロックの処理が完了する。
【００８４】
以降、画素Ｒ(M-1)１，Ｒ(M-1)１，ＲM１，ＲM２のブロックまで同様に処理を行う。画素Ｒ(M-1)１，Ｒ(M-1)１，ＲM１，ＲM２のブロックの処理が完了した時点で、ステップＦ４２２で変数ｍ＝Ｍとなり、ステップＦ４２３に進む。この時点で変数ｎ＝２であり、最終列ではないため、ステップＦ４２４で変数ｍ＝１としたうえでステップＦ４０２に戻る。
【００８５】
この時点で画素Ｒｍｎ＝Ｒ１２となる。そしてＲ１２，Ｒ１３，Ｒ２２，Ｒ２３のブロックを対象としてステップＦ４０２〜Ｆ４２１の処理を行う。この場合、画素補正センサＳ１４をブロック対象の光センサとして用いる。
なお、このブロックでは、最初に画素１２を基準の画素としてステップＦ４０２，Ｆ４０３の処理を行う。
またステップＦ４０４の時点ではｍ＝１であるため、画素Ｒ１３に対してステップＦ４０５〜Ｆ４０９の処理を行う。
また２列目以降のブロックについては、ｎ＞１なるため（画素Ｒ２２は処理済みであるため）、ステップＦ４１２からＦ４１８に進み、画素２３についてステップＦ４１８〜Ｆ４２１の処理を行う。
【００８６】
このように画素Ｒ１２，Ｒ１３，Ｒ２２，Ｒ２３のブロックを対象としてステップＦ４０２〜Ｆ４２１の処理を行ったら、次に画素Ｒ２２，Ｒ２３，Ｒ３２，Ｒ３３のブロックを対象としてステップＦ４０２〜Ｆ４２１の処理を行う。
このブロックでは、最初に画素Ｒ２３を基準の画素としてステップＦ４０２，Ｆ４０３の処理を行う。
またこのブロックではＲ２２、Ｒ３２は既に処理済みであるため、ステップＦ４０４、Ｆ４１１で処理が回避され、ステップＦＦ４１８〜Ｆ４２１で画素Ｒ３３について補正係数設定処理が行われる。
【００８７】
以降、順次各ブロックで処理が繰り返され、最終行、最終列の画素ＲMNの設定が終わった時点で、ステップＦ４２３で変数ｎ＝Ｎとなり、Ｒ画素群に対する補正係数設定処理が終了する。
結局以上の処理では、基準画素Ｒ１１を基点として、Ｒ１２→Ｒ２１→Ｒ２２→Ｒ３１→Ｒ３２→Ｒ４１→Ｒ４２→・・・→ＲＭ１→ＲＭ２→Ｒ１３→Ｒ２３→Ｒ３３・・・という順序で各画素の補正係数が設定されていくことになる。
その後、Ｇ画素群、Ｂ画素群についても、図１０と同様の処理が行われればよい。
【００８８】
このような処理を行うことにより、補正係数更新対象とする全画素（少なくとも有効表示領域の全画素）について、補正係数が設定され、上述した第１の補正係数設定処理例と同様の効果が得られる。
またこの例では、１つの画素補正センサで４つの画素の相関で補正係数を算出するため、より精度の高い補正係数が得られる。
なお、各ブロックの処理の順序や、ブロック内での各画素の処理の順序は、上記図１０の例以外にも多様に考えられる。
また、図８，図９で示したセンサ配置の場合に、図７で示した第１の画素補正係数設定処理を適用することもできる。例えば図７のステップＦ３０２〜Ｆ３０８の繰り返しで、画素Ｒ１１、Ｒ２１について画素補正センサＳ１１を用い、また画素Ｒ２１、Ｒ３１について画素補正センサＳ２１を用いるというようにして最初の列の画素について補正係数設定を行う。次に画素補正センサＳ１１を列補正センサとして用いて、ステップＦ３１２〜Ｆ３１８で画素Ｒ１１とＲ１２の間で処理を行う。このように第１の画素補正係数設定処理を適用することもできる。
さらにその変形例として、各列で順番に行うのではなく、各行で順番に行うこともできる。例えば図７のステップＦ３０２〜Ｆ３０８の繰り返しで、画素Ｒ１１、Ｒ１２について画素補正センサＳ１１を用い、また画素Ｒ１２、Ｒ１３について画素補正センサＳ１４を用いるというようにして最初の行の画素について補正係数設定を行う。次に画素補正センサＳ１１を用いて、ステップＦ３１２〜Ｆ３１８で画素Ｒ１１とＲ２１の間で処理を行う。そして、画素Ｒ１２を基準にして、第２行目の各画素の補正係数設定を行っていくような処理である。
【００８９】
［５．第３の補正係数設定処理例］
第３の補正係数設定処理を図１１〜図１３により説明する。
まず図１１、図１２で光センサの配置を説明する。画素の配置は上述した各例と同様である。
図１１に示すように、画素アレイ内において、○で示す画素補正センサ及び●で示す列補正センサが配置される。
図１２に拡大して示すが、各画素補正センサは、４つの同色画素から等距離の位置に配置されている。
例えば画素補正センサＳ１１は、画素Ｒ１１，Ｒ２１，Ｒ１２，Ｒ２２からそれぞれ等距離の位置とされる。また画素補正センサＳ２１は、画素Ｒ２１，Ｒ３１，Ｒ２２，Ｒ３２からそれぞれ等距離の位置とされる。
列補正センサは、隣接する同色の最上段のブロックにおける画素同士から等距離の位置に配置される。
例えば列補正センサＳ０１は、画素Ｒ１１，Ｒ２１，Ｒ１２，Ｒ２２のブロックと、このブロックに隣接する画素Ｒ１３，Ｒ２３，Ｒ１４，Ｒ２４のブロックとを橋渡しするものとして、画素Ｒ１２と画素Ｒ１３から等距離の位置に配置される。
Ｇ画素群、Ｂ画素群についても同様である。
【００９０】
このような光センサの配置も、特定の一つの基準画素（例えばＲ画素群については画素Ｒ１１）を起点として、全ての画素（画素ＲMNまでの全Ｒ画素）が、光センサ（画素補正センサまたは列補正センサ）を介して橋渡しされているような状態を形成する。
【００９１】
このように画素及び光センサを配設することで実現できる補正係数設定処理を図１３で説明する。図１３は、図４（ａ）のステップＦ１０２、または図４（ｂ）のステップＦ２０２として信号処理部２が実行する処理である。
【００９２】
まず信号処理部２は、ステップＦ５００で補正係数格納部６における全Ｒ画素についての補正係数をクリアする。次にステップＦ５０１で、処理対象の画素を指定する変数ｍ，ｎについてｍ＝１、ｎ＝１とする。
そしてまず最初に、ステップＦ５０２〜Ｆ５２０の処理で、画素Ｒ１１，Ｒ１２，Ｒ２１，Ｒ２２のブロックについて処理を行う。
【００９３】
ステップＦ５０２では、信号処理部２は、画素Ｒｍｎについて、補正係数を反映させた基準信号Ｘを与えて発光させる。但し、最初はｍ＝１、ｎ＝１であり、画素Ｒｍｎ＝基準画素Ｒ１１であるため、基準画素Ｒ１１に対して、基準信号Ｘをそのまま与えることになる。
ステップＦ５０３では、信号処理部２は、発光させた画素Ｒｍｎの発光輝度として、現ブロックに対応する画素補正センサの検出値を、検出信号生成部７から取り込んで信号処理部２の内部で記憶する。この場合、画素補正センサＳ１１の検出値を基準画素Ｒ１１の発光輝度として取り込むことになる。
【００９４】
次に信号処理部２はステップＦ５０４で、ｍ＞１であるか否かを確認し、変数ｍ＝１の場合（画素Ｒｍｎが先頭行の画素であった場合）に、ステップＦ５０５に進んで変数ｎをインクリメントする。
次にステップＦ５０６では、画素Ｒｍｎについて、基準信号Ｘ（無補正）を与えて発光させる。この場合、ｎ＝２とされているため、画素Ｒ１２を基準信号Ｘで発光させる。
ステップＦ５０７では信号処理部２は、発光させた画素Ｒｍｎ（＝Ｒ１２）を含む現ブロックに対応する画素補正センサＳ１１の検出値を、検出信号生成部７から取り込む。
信号処理部２は、ステップＦ５０８で、上記ステップＦ５０３及びＦ５０７で取り込んだ両検出値を用いて補正係数を算出する。即ちこの場合、両検出値とは、画素Ｒ１１、Ｒ１２について画素補正センサＳ１１で検出した発光輝度の値であり、この両検出値の差分または比から、画素Ｒ１２を、基準画素Ｒ１１と同一の輝度で発光させるための補正係数を得る。そしてステップＦ５０９で、算出された補正係数を、画素Ｒ１２についての補正係数として補正係数格納部６に記憶する。
【００９５】
次に信号処理部２はステップＦ５１０で、変数ｍをインクリメントし、またステップＦ５１１で変数ｎをデクリメントする。
そして信号処理部２はステップＦ５１２で、画素Ｒｍｎ（＝Ｒ２１）について、基準信号Ｘ（無補正）を与えて発光させる。またステップＦ５１３で、現ブロック対応の画素補正センサＳ１１の検出値として、画素Ｒ２１の発光輝度を取り込む。
次に信号処理部２は、ステップＦ５１４で、上記ステップＦ５０３及びＦ５１４で取り込んだ両検出値を用いて補正係数を算出する。即ちこの場合、両検出値とは、画素Ｒ１１、Ｒ２１について画素補正センサＳ１１で検出した発光輝度の値であり、この両検出値の差分または比から、画素Ｒ２１を、基準画素Ｒ１１と同一の輝度で発光させるための補正係数を得る。そしてステップＦ５１５で、算出された補正係数を、画素Ｒ２１についての補正係数として補正係数格納部６に記憶する。
そしてステップＦ５１６で変数ｎをインクリメントする。
【００９６】
次に信号処理部２はステップＦ５１７で、画素Ｒｍｎ（＝Ｒ２２）について、基準信号Ｘ（無補正）を与えて発光させる。そしてステップＦ５１８で、現ブロック対応の画素補正センサＳ１１の検出値として、画素Ｒ２２の発光輝度を取り込む。
ステップＦ５１９では、信号処理部２は、上記ステップＦ５０３及びＦ５１８で取り込んだ両検出値を用いて補正係数を算出する。即ちこの場合、画素Ｒ１１、Ｒ２２について画素補正センサＳ１１で検出した発光輝度の値であり、この両検出値の差分または比から、画素Ｒ２２を、基準画素Ｒ１１と同一の輝度で発光させるための補正係数を得る。そしてステップＦ５２０で、算出された補正係数を、画素Ｒ２２についての補正係数として補正係数格納部６に記憶する。
ここまでの処理で、最初のブロックの画素（Ｒ１１，Ｒ１２，Ｒ２１，Ｒ２２）について画素補正センサＳ１１を用いて行った補正係数設定が完了する。
【００９７】
次に、現在の画素Ｒｍｎ（＝Ｒ２２）が最終行でなければ、ｍ＝Ｍではないため、ステップＦ５０２に戻る。
そして画素Ｒｍｎ（＝Ｒ２２）を基準として、次のブロックの画素（Ｒ２１，Ｒ２２，Ｒ３１，Ｒ３２）について、このブロックに対応した画素補正センサＳ２１を用いてステップＦ４０２〜Ｆ４２１の処理を行う。
【００９８】
まずこのブロックで基準とした補正係数設定済の画素Ｒ２２を、補正係数を反映させた基準信号Ｘで発光させ、現ブロックに対応する画素補正センサＳ２１で発光輝度の検出値を得る。
なお、第２行目（ｍ＝２）以降のブロックでは、画素Ｒ２１は既に補正係数設定済であるため、処理は不要である。そこでステップＦ５０４でｍ＞１の場合は、ステップＦ５１０に進む。そして変数ｍをインクリメント（Ｆ５１０）、変数ｎをデクリメントし（Ｆ５１１）、ステップＦ５１２〜Ｆ５１５で画素Ｒ３１についての処理を行う。
さらにステップＦ５１６で変数ｎをインクリメントし、ステップＦ４１８〜Ｆ４２１で、画素Ｒ３２について処理を行う。
ここまでの処理で、２番目のブロックの処理が完了する。
【００９９】
以降、画素Ｒ(M-1)１，Ｒ(M-1)１，ＲM１，ＲM２のブロックまで同様に処理を行う。画素Ｒ(M-1)１，Ｒ(M-1)１，ＲM１，ＲM２のブロックの処理が完了した時点で、ステップＦ５２１で変数ｍ＝Ｍとなり、ステップＦ５２２に進む。この時点で変数ｎ＝２であり、最終列ではないため、ステップＦ５２３で変数ｍ＝１としたうえでステップＦ５２４に進む。
【０１００】
信号処理部２は、ステップＦ５２４で画素Ｒｍｎ（＝画素Ｒ１２）について、補正係数で補正した基準信号Ｘを与えて発光させる。そしてステップＦ５２４で信号処理部２は、発光させた画素Ｒｍｎ（＝画素Ｒ１２）に対応する列補正センサ、この場合、列補正センサＳ０１の検出値を、検出信号生成部７から取り込んで信号処理部２の内部で記憶する。
【０１０１】
次に信号処理部２はステップＦ５２６で、変数ｎをインクリメントし、ステップＦ５２７で、画素Ｒｍｎ（この場合画素Ｒ１３）について、基準信号Ｘ（無補正）を与えて発光させる。
ステップＦ５２８では信号処理部２は、発光させた画素Ｒｍｎ（＝Ｒ１３）に対応する列補正センサ（Ｓ０１）の検出値を、検出信号生成部７から取り込んで信号処理部２の内部で記憶する。つまり直前のステップＦ５２５と同一の列補正センサの検出値である。
【０１０２】
信号処理部２は、ステップＦ５２９で、上記ステップＦ５２５及びＦ５２８で取り込んだ両検出値を用いて補正係数を算出する。この場合、両検出値とは、基準画素Ｒ１２、Ｒ１３について列補正センサＳ０１で検出した発光輝度の値である。
この両検出値の差分または比から、画素Ｒ１３を、画素Ｒ１２と同一の輝度（つまり基準画素Ｒ１１と同一の輝度）で発光させるための補正係数を得ることができる。
そしてステップＦ５３０では、算出された補正係数を、画素Ｒ１３についての補正係数として補正係数格納部６に記憶する。
【０１０３】
そしてステップＦ５０２に戻る。つまり画素Ｒ１３，Ｒ１４，Ｒ２３，Ｒ２４のブロックについてステップＦ５０２〜Ｆ５２０の処理を行う。
以降、処理が各ブロックについて同様に行われ、またブロックが最終行に達したら、列補正センサを介して、隣接する列のブロックの処理に移行する。
そして最終行、最終列の画素ＲMNの設定が終わった時点で、ステップＦ５２２で変数ｎ＝Ｎとなり、Ｒ画素群に対する補正係数設定処理が終了する。
結局以上の処理では、基準画素Ｒ１１を基点として、Ｒ１２→Ｒ２１→Ｒ２２→Ｒ３１→Ｒ３２→Ｒ４１→Ｒ４２→・・・→ＲＭ１→ＲＭ２→Ｒ１３→Ｒ１４→Ｒ２３→Ｒ２４→Ｒ３３・・・という順序で各画素の補正係数が設定されていくことになる。
その後、Ｇ画素群、Ｂ画素群についても、図１０と同様の処理が行われればよい。
【０１０４】
このような処理を行うことにより、補正係数更新対象とする全画素（少なくとも有効表示領域の全画素）について、補正係数が設定され、上述した第１，第２の補正係数設定処理例と同様の効果が得られる。
またこの例では、図１１と、図５または図８を比較して分かるように、光センサの数を大幅に削減できるという利点が得られる。
なお、各ブロックの処理の順序や、ブロック内での各画素の処理の順序は、上記図１０の例以外にも多様に考えられる。
【０１０５】
［６．変形例］
以下、各種の変形例を述べる。
図１４は、画素補正センサを、Ｒ、Ｇ、Ｂ各画素で共用するようにした例である。
つまりこの場合、各画素補正センサは、或る色の２つの同色発光画素に対して等距離であり、かつ、他の色の２つの同色発光画素に対しても等距離である位置に配置されている。
例えば画素補正センサＳ１１は、画素Ｒ１１，Ｒ２１から等距離で、かつ画素Ｇ１１、Ｇ２１から等距離で、かつ画素Ｂ１１，Ｂ２１から等距離の位置となる。
また画素補正センサＳ２１は、画素Ｒ２１，Ｒ３１から等距離で、かつ画素Ｇ２１、Ｇ３１から等距離で、かつ画素Ｂ２１，Ｂ３１から等距離の位置となる。
列補正センサについては共用していない。即ち画素Ｒ１１，Ｒ１２に対して列補正センサＳ０１が等距離に配置され、画素Ｇ１１，Ｇ１２に対して列補正センサＳ０２が等距離に配置され、画素Ｂ１１，Ｂ１２に対して列補正センサＳ０３が等距離に配置される。
【０１０６】
このように画素補正センサを各色で共用できるように配置することで、図６のような例に比べて、光センサの数を大幅に削減できる。
またこの場合、処理としては図７と同様の補正係数設定処理を行うことができる。
【０１０７】
図１５は、画面上を領域分割して補正係数設定処理を行う例を示している。
例えば上述した各例では、画面全体の画素について順次、補正係数設定を行っていくため、比較的時間を要する。
この処理時間を短縮するには、例えば図１５（ａ）のように、画面上を領域Ａ、Ｂに分け、並行して上記各例の処理を行うことが考えられる。
また図１５（ｂ）のように領域Ａ，Ｂ，Ｃ，Ｄに分ければ、さらに処理時間を短縮できる。
【０１０８】
但し、このように並行して処理を行う場合、複数の画素が同時発光されることになる。そのため、同時に発光されるうちの一方の画素の発光の影響が他方の画素の発光輝度の検出に表れないよう、同時発光される画素は十分に離れているように、各領域の各画素の処理順序を設定することが必要である。
また、各領域での基準画素同士が、同一の発光輝度でなければならない。例えばＲ画素群については、画素Ｒ１１と画素Ｒ１ｑが基準信号Ｘに対して同一輝度でないと、領域Ａの各画素と、領域Ｂの各画素が、補正後に異なる発光輝度となってしまうためである。
そこで、図１５（ａ）の場合は、まず先頭行のみ、補正係数設定処理を行い、少なくとも画素Ｒ１ｑについて、基準画素Ｒ１１と同一発光輝度となる補正係数を設定しておく。その後、領域Ｂについては、画素Ｒ１ｑを基準として、領域Ａでの処理と並行して、各画素の補正係数設定を順次行うようにしておけばよい。
同様に図１５（ｂ）の場合は、先頭行と、先頭列と、第ｑ列について補正係数設定処理を行い、少なくとも画素Ｒ１ｑ、Ｒｐ１、Ｒｐｑについて、基準画素Ｒ１１と同一発光輝度となる補正係数を設定しておく。その後、領域Ｂについては画素Ｒ１ｑを基準とし、領域Ｃについては画素Ｒｐ１を基準とし、領域Ｄについては画素ｐｑを基準として、それぞれ各領域で各画素の補正係数設定を順次行うようにしておけばよい。
【０１０９】
また、上述の処理例では、各画素についての発光輝度の測定と補正係数設定を順次行うようにしているが、先に全画素について発光輝度の測定のみを行ってしまっても良い。画素間の相関をとるため、各画素の発光輝度は、それぞれ対応する２つの光センサで発光輝度を測定する。そして全画素を測定した後、測定された検出値を用いた演算で、各画素の補正係数を算出する。このようにすると、演算処理負担は増えるが、全体の処理の時短化に適している。
【０１１０】
また、光センサを等間隔に配置する事が困難な場合には、光センサからの距離と感度の関係式をあらかじめ求めておく事で、不等間隔の測定差を補正することも考えられる。
【０１１１】
また、測定する際の基準信号は或る階調の１つの基準信号Ｘだけでなく、例えば高輝度階調信号の基準信号Ｘと低輝度階調の基準信号Ｙの２つ、もしくはそれ以上の信号を入力して測定することで補正係数の精度を高めることも出来る。
【０１１２】
またシステムの起動時、終了時以外にも、ユーザの操作によって測定を開始して補正を行う事も出来る。
【０１１３】
また、一つの光センサで隣接する複数の画素を測定する時に、基準信号Ｘの値を変化させて輝度データを比較する事で、滅点や半滅点の検出も出来る。
また、各画素を複数の光センサで測定を行うので、輝度データを比較する事で光センサの故障を検出することも出来る。
【０１１４】
なお、光センサの配置例は各種説明したが、ＲＧＢ各画素配列によって、センサ位置は異なり、また多様に考えられることは言うまでもない。
また実施の形態では有機ＥＬパネルを用いた表示装置について説明したが、有機ＥＬパネル以外でも自発光画素による表示パネルを用いた表示装置でも本発明は適用できる。
【図面の簡単な説明】
【０１１５】
【図１】本発明の実施の形態の表示装置の要部のブロック図である。
【図２】実施の形態の有機ＥＬパネルの説明図である。
【図３】実施の形態の有機ＥＬパネルの画素回路の説明図である。
【図４】実施の形態のパワーオン／オフ時の処理のフローチャートである。
【図５】実施の形態の第１の補正係数設定処理に係る光センサ配置の説明図である。
【図６】実施の形態の第１の補正係数設定処理に係る光センサ配置の拡大説明図である。
【図７】実施の形態の第１の補正係数設定処理のフローチャートである。
【図８】実施の形態の第２の補正係数設定処理に係る光センサ配置の説明図である。
【図９】実施の形態の第２の補正係数設定処理に係る光センサ配置の拡大説明図である。
【図１０】実施の形態の第２の補正係数設定処理のフローチャートである。
【図１１】実施の形態の第３の補正係数設定処理に係る光センサ配置の説明図である。
【図１２】実施の形態の第３の補正係数設定処理に係る光センサ配置の拡大説明図である。
【図１３】実施の形態の第３の補正係数設定処理のフローチャートである。
【図１４】実施の形態の各色共用した光センサ配置の説明図である。
【図１５】実施の形態の領域分割した処理動作の説明図である。
【符号の説明】
【０１１６】
１  表示装置、２  信号処理部、３  ゲートドライバ、４  データドライバ、５  有機ＥＬパネル、６  補正係数格納部、７  検出信号生成部、１０  画素回路、１１  ドライブスキャナ、１２  ライトスキャナ
【図１】
2010139945.tif 000003
【図２】
2010139945.tif 000004
【図３】
2010139945.tif 000005
【図４】
2010139945.tif 000006
【図５】
2010139945.tif 000007
【図６】
2010139945.tif 000008
【図７】
2010139945.tif 000009
【図８】
2010139945.tif 000010
【図９】
2010139945.tif 000011
【図１０】
2010139945.tif 000012
【図１１】
2010139945.tif 000013
【図１２】
2010139945.tif 000014
【図１３】
2010139945.tif 000015
【図１４】
2010139945.tif 000016
【図１５】
2010139945.tif 000017